(57)【要約】【課題】汲み上げポンプの閉止不良による燃料の漏れを判定できる燃焼装置を提供する。【解決手段】  油面検知手段２７が検知する液面により汲み上げポンプ２４によるオイルレベラ２２内への給油の開始及び停止を行なう燃焼装置１に於いて、制御部３６は、所定間隔の燃焼消費量を積算すると共に、前記所定間隔の推定汲み上げ油量を算出し、前記燃焼消費量の積算値が汲み上げポンプ２４による推定汲み上げ油量より大きい時、異常発生と判断して運転を停止するので、汲み上げポンプ２４の閉止不良による燃油の漏れを検知するための部品を追加することなく、通常の給油動作により汲み上げポンプ２４の閉止不良による燃油の漏れを判定することができるものである。【選択図】  図３
2019138586.tif 000002
【特許請求の範囲】
【請求項１】
燃料を燃焼させるバーナと、燃油を貯蔵するオイルレベラと、該オイルレベラ内の燃油を給油パイプを介してバーナに供給する電磁ポンプと、動作することでメインタンクから燃油をオイルレベラ内に給油し、停止することでメインタンクからの燃油がオイルレベラ内に給油されないように閉止する汲み上げポンプと、オイルレベラ内に配置された油面検知手段と、前記バーナの燃焼運転を制御し、燃料消費量を積算し、タイマーにより時間をカウントする制御部とを備え、前記油面検知手段が検知する液面により汲み上げポンプによるオイルレベラ内への給油の開始及び停止を行なう燃焼装置に於いて、前記制御部は、所定間隔の間の燃焼消費量の積算値と、前記所定間隔の間の推定汲み上げ油量の積算値とを算出し、前記燃焼消費量の積算値が汲み上げポンプによる推定汲み上げ油量の積算値より大きい時、異常発生と判断することを特徴とする燃焼装置。
【請求項２】
前記制御部は、前記油面検知手段が給油を開始する液面を検知すると汲み上げポンプを動作してオイルレベラ内に給油を開始し、前記油面検知手段が給油を停止する液面を検知すると検知してから所定時間後に汲み上げポンプを停止してオイルレベラ内への給油を停止すると共に、オイルレベラ内への給油を開始してから停止し、再び給油を開始するまでの所定間隔の間の燃焼消費量を積算し、該燃焼消費量の積算値が汲み上げポンプによる推定汲み上げ油量より大きい時、異常発生と判断することを特徴とする請求項１記載の燃焼装置。
【請求項３】
前記制御部は、汲み上げポンプの給油開始から停止までの時間をタイマーにて計時し、該計時時間に最大汲み上げ流量を乗じて推定汲み上げ油量を算出することを特徴とする請求項２記載の燃焼装置。
【請求項４】
燃料を燃焼させるバーナと、燃油を貯蔵するオイルレベラと、該オイルレベラ内の燃油を給油パイプを介してバーナに供給する電磁ポンプと、動作することでメインタンクから燃油をオイルレベラ内に給油し、停止することでメインタンクからの燃油がオイルレベラ内に給油されないように閉止する汲み上げポンプと、オイルレベラ内に配置された油面検知手段と、前記バーナの燃焼運転を制御し、燃料消費量を積算し、タイマーにより時間をカウントする制御部とを備え、前記油面検知手段が検知する液面により汲み上げポンプによるオイルレベラ内への給油の開始及び停止を行なう燃焼装置に於いて、前記制御部は、前記油面検知手段が給油を開始する液面を検知すると汲み上げポンプを動作してオイルレベラ内に給油を開始し、前記油面検知手段が給油を停止する液面を検知すると汲み上げポンプを停止してオイルレベラ内への給油を停止すると共に、オイルレベラ内への給油を停止してから再び給油を開始するまでの燃焼消費量を積算し、該燃焼消費量の積算値が汲み上げポンプによる推定汲み上げ油量より大きい時、異常発生と判断することを特徴とする燃焼装置。
【請求項５】
前記制御部は、前記油面検知手段が給油を開始する液面から給油を停止する液面までのオイルレベラ内の内容積を推定汲み上げ油量とすることを特徴とする請求項４記載の燃焼装置。
【発明の詳細な説明】
【技術分野】
【０００１】
本発明は、石油等の液体燃料を燃焼させ給湯、暖房等を行なう燃焼装置に関するものである。
【背景技術】
【０００２】
従来、この種のものに於いては、石油等の液体燃料を使用した燃焼装置は燃焼状態を最適化するため燃料タンクを装置内に設け燃料タンク内の液面を一定に制御するものが多く、装置の外部に設けた外部燃料タンクから汲み上げボンブで装置内の燃料タンクに一旦汲み上げ、燃焼部の燃焼制御部の信号に従って燃料供給部が燃料タンクから燃焼部に燃料を供給する構成になっていた。
【０００３】
この燃料タンクに第１の液面検出部と、前記第１の液面検出部より高い位置に設けられた第２の液面検出部とを設け、前記第１の液面検出部で液面が前記第１の液面検出部の検出位置より下にあることを検出したら前記汲み上げポンプを作動させるＯＮ制御部と、前記第１の液面検出部で液面が前記第１の液面検出部の検出位置より上にあることを検出したら一定時間経過後に前配汲み上げポンプの作動を停止させる遅延ＯＦＦ制御部と、前記第２の液面検出部で液面が前記第２の液面検出部の検出位置より上にあることを検出したら前記汲み上げポンプの作動を停止させるＯＦＦ制御部を備えたものがあった。（例えば、特許文献１参照。）
【先行技術文献】
【特許文献】
【０００４】
【特許文献１】特開平０３−２１７７０８号公報
【発明の概要】
【発明が解決しようとする課題】
【０００５】
ところで、この従来のものでは、汲み上げポンプの閉止不良で燃料漏れが発生していた場合、燃料の漏れ量が多いと燃料タンク内の液面が上昇して第２の液面検出部の検出位置より上に液面が達し、汲み上げポンプが作動していれば停止させるが、燃焼運転中は燃料タンク内の燃料を消費するので、燃料タンク内の液面がゆっくりと上昇して液面が前記第２の液面検出部の検出位置より上になかなかならず、更に燃料の漏れ量が少ない状態で燃焼運転を行なっている時は、燃料タンク内の液面が上昇せず、汲み上げポンプの閉止不良を早期に検知することが難しかった。
【課題を解決するための手段】
【０００６】
上記課題を解決するために、本発明の請求項１では、燃料を燃焼させるバーナと、燃油を貯蔵するオイルレベラと、該オイルレベラ内の燃油を給油パイプを介してバーナに供給する電磁ポンプと、動作することでメインタンクから燃油をオイルレベラ内に給油し、停止することでメインタンクからの燃油がオイルレベラ内に給油されないように閉止する汲み上げポンプと、オイルレベラ内に配置された油面検知手段と、前記バーナの燃焼運転を制御し、燃料消費量を積算し、タイマーにより時間をカウントする制御部とを備え、前記油面検知手段が検知する液面により汲み上げポンプによるオイルレベラ内への給油の開始及び停止を行なう燃焼装置に於いて、前記制御部は、所定間隔の間の燃焼消費量の積算値と、前記所定間隔の間の推定汲み上げ油量の積算値とを算出し、前記燃焼消費量の積算値が汲み上げポンプによる推定汲み上げ油量の積算値より大きい時、異常発生と判断するものである。
【０００７】
また、請求項２では、前記制御部は、前記油面検知手段が給油を開始する液面を検知すると汲み上げポンプを動作してオイルレベラ内に給油を開始し、前記油面検知手段が給油を停止する液面を検知すると検知してから所定時間後に汲み上げポンプを停止してオイルレベラ内への給油を停止すると共に、オイルレベラ内への給油を開始してから停止し、再び給油を開始するまでの所定間隔の間の燃焼消費量を積算し、該燃焼消費量の積算値が汲み上げポンプによる推定汲み上げ油量より大きい時、異常発生と判断するものである。
【０００８】
また、請求項３では、前記制御部は、汲み上げポンプの給油開始から停止までの時間をタイマーにて計時し、該計時時間に最大汲み上げ流量を乗じて推定汲み上げ油量を算出するものである。
【０００９】
また、請求項４では、燃料を燃焼させるバーナと、燃油を貯蔵するオイルレベラと、該オイルレベラ内の燃油を給油パイプを介してバーナに供給する電磁ポンプと、動作することでメインタンクから燃油をオイルレベラ内に給油し、停止することでメインタンクからの燃油がオイルレベラ内に給油されないように閉止する汲み上げポンプと、オイルレベラ内に配置された油面検知手段と、前記バーナの燃焼運転を制御し、燃料消費量を積算し、タイマーにより時間をカウントする制御部とを備え、前記油面検知手段が検知する液面により汲み上げポンプによるオイルレベラ内への給油の開始及び停止を行なう燃焼装置に於いて、前記制御部は、前記油面検知手段が給油を開始する液面を検知すると汲み上げポンプを動作してオイルレベラ内に給油を開始し、前記油面検知手段が給油を停止する液面を検知すると汲み上げポンプを停止してオイルレベラ内への給油を停止すると共に、オイルレベラ内への給油を停止してから再び給油を開始するまでの燃焼消費量を積算し、該燃焼消費量の積算値が汲み上げポンプによる推定汲み上げ油量より大きい時、異常発生と判断するものである。
【００１０】
また、請求項５では、前記制御部は、前記油面検知手段が給油を開始する液面から給油を停止する液面までのオイルレベラ内の内容積を推定汲み上げ油量とするものである。
【発明の効果】
【００１１】
この発明の請求項１によれば、油面検知手段が検知する液面により汲み上げポンプによるオイルレベラ内への給油の開始及び停止を行なう燃焼装置に於いて、前記制御部は、所定間隔の間の燃焼消費量の積算値と、前記所定間隔の間の推定汲み上げ油量の積算値とを算出し、前記燃焼消費量の積算値が汲み上げポンプによる推定汲み上げ油量の積算値より大きい時、異常発生と判断するので、汲み上げポンプの閉止不良による燃油の漏れを検知するための部品を追加することなく、燃油の漏れ量が多くなってオイルレベラから燃油が溢れる状態になる前に、通常の給油動作により汲み上げポンプの閉止不良による燃油の漏れを早期に判定することができるものである。
【００１２】
また、請求項２では、前記制御部は、前記油面検知手段が給油を開始する液面を検知すると汲み上げポンプを動作してオイルレベラ内に給油を開始し、前記油面検知手段が給油を停止する液面を検知すると検知してから所定時間後に汲み上げポンプを停止してオイルレベラ内への給油を停止すると共に、オイルレベラ内への給油を開始してから停止し、再び給油を開始するまでの所定間隔の間の燃焼消費量を積算し、該燃焼消費量の積算値が汲み上げポンプによる推定汲み上げ油量より大きい時、異常発生と判断するので、給油を開始する液面と給油を停止する液面が近い構造で、油面が波立つと給油の開始と停止を誤検知してしまう場合、油面が波立っても給油の開始と停止を誤検知しない油面まで給油して前記誤検知を防止しつつ、汲み上げポンプの閉止不良による燃油の漏れを検知するための部品を追加することなく、給油を開始する液面と給油を停止する液面が近い構造のオイルレベラであっても、燃油の漏れ量が多くなってオイルレベラから燃油が溢れる状態になる前に、通常の給油動作により汲み上げポンプの閉止不良による燃油の漏れを早期に判定することができるものである。
【００１３】
又、請求項３によれば、前記制御部は、汲み上げポンプの給油開始から停止までの時間をタイマーにて計時し、該計時時間に最大汲み上げ流量を乗じて推定汲み上げ油量を算出するので、前記油面検知手段が給油を停止する液面を検知してから所定時間後に汲み上げポンプを停止するまでの給油量が、屋外に設置されているメインタンクとの油面の高さとオイルレベラの油面の高さとのヘッド差によって汲み上げポンプ流量がその都度異なっても、最大汲み上げ油量を推定汲み上げ油量としているので、燃焼消費量の積算値が汲み上げポンプによる推定汲み上げ油量である最大汲み上げ油量より大きい時、異常発生と判断して運転を停止することができ、給油を開始する液面と給油を停止する液面が近い構造のオイルレベラであって、屋外に設置されているメインタンクとオイルレベラのヘッド差がその時々で異なって汲み上げポンプの汲み上げ流量が変化しても、汲み上げポンプの閉止不良による燃油の漏れを検知するための部品を追加することなく、燃油の漏れ量が多くなってオイルレベラから燃油が溢れる状態になる前に、通常の給油動作により汲み上げポンプの閉止不良による燃油の漏れを早期に判定することができるものである。  
【００１４】
又、請求項４によれば、燃料を燃焼させるバーナと、燃油を貯蔵するオイルレベラと、該オイルレベラ内の燃油を給油パイプを介してバーナに供給する電磁ポンプと、動作することでメインタンクから燃油をオイルレベラ内に給油し、停止することでメインタンクからの燃油がオイルレベラ内に給油されないように閉止する汲み上げポンプと、オイルレベラ内に配置された油面検知手段と、前記バーナの燃焼運転を制御し、燃料消費量を積算し、タイマーにより時間をカウントする制御部とを備え、前記油面検知手段が検知する液面により汲み上げポンプによるオイルレベラ内への給油の開始及び停止を行なう燃焼装置に於いて、前記制御部は、前記油面検知手段が給油を開始する液面を検知すると汲み上げポンプを動作してオイルレベラ内に給油を開始し、前記油面検知手段が給油を停止する液面を検知すると汲み上げポンプを停止してオイルレベラ内への給油を停止すると共に、オイルレベラ内への給油を停止してから再び給油を開始するまでの燃焼消費量を積算し、該燃焼消費量の積算値が汲み上げポンプによる推定汲み上げ油量より大きい時、異常発生と判断するので、給油を開始する液面と給油を停止する液面が離れている構造で、油面が波立っても給油の開始と停止を誤検知しない場合、油面検知手段が給油を停止する液面を検知すると汲み上げポンプを停止してオイルレベラ内への給油を停止することで推定汲み上げ油量を常に一定にすることができ、汲み上げポンプの閉止不良による燃油の漏れを検知するための部品を追加することなく、通常の給油動作により汲み上げポンプの閉止不良による燃油の漏れが少量でも正確に早期に判定することができるものである。
【００１５】
又、請求項５によれば、前記制御部は、前記油面検知手段が給油を開始する液面から給油を停止する液面までのオイルレベラ内の内容積を推定汲み上げ油量とするので、推定汲み上げ油量は予め計算にて求めることができ、屋外に設置されているメインタンクとオイルレベラのヘッド差がその時々で異なって汲み上げポンプの汲み上げ流量が変化しても、その汲み上げポンプの汲み上げ流量の変化に関係なく、通常の給油動作により汲み上げポンプの閉止不良による燃油の漏れが少量でも正確に早期に判定することができるものである。
【図面の簡単な説明】
【００１６】
【図１】この発明一実施例を付した燃焼装置の概略図。
【図２】同油面検知手段の動作を説明した概略図。
【図３】同オイルレベラへの給油制御のフローチャート図。
【図４】同他の実施例のオイルレベラへの給油制御のフローチャート図。
【発明を実施するための形態】
【００１７】
次に、本発明に係る発明の１実施形態を図面に基づいて説明する。
１は燃焼装置で、本体装置２と、板状の下皿３とを備え、下皿３の上面に本体装置２が取り付けられている。
前記本体装置２は、該本体装置２の外枠をなす筐体４を備えており、筐体４の前面上部には、各種スイッチや表示部などが設けられた操作パネル５が配置されている。
【００１８】
前記燃焼装置１の本体装置２は、燃料を燃焼させるバーナ６と、該バーナ６の燃焼ガスによって加熱される温水用熱交換器７とを備え、前記バーナ６および温水用熱交換器７は、筐体４内に配置されている。
【００１９】
前記バーナ６は、バーナ６を灯油が気化するのに最適な温度まで予熱するポットヒータ８を備えると共に、点火を行なう点火プラグ９及び炎の有無を検知するフレームロッド１０を備えており、金属製で略箱状の外筒１１の下方に位置している。
【００２０】
前記外筒１１内には、耐熱透明体から構成されているスケルトン（図示せず）が上方から垂下され、更にスケルトン内にバーナ６からの燃焼熱を受けて赤熱する放熱筒１２が配置されている。
【００２１】
前記外筒１１の上部には、中央部が外筒１１に連通する箱状のストーブ用熱交換器１３が配置され、該ストーブ用熱交換器１３の一方端には排気管１４が連結され、ストーブ用熱交換器１３の他方端には、温水用熱交換器７を収納した熱交換室１５が設けられている。
【００２２】
前記筐体４内には、冷却用ファン１６が配置され、該冷却用ファン１６は、ストーブ用熱交換器１３および熱交換室１５に室内空気を送風する。
これにより、各部の温度上昇を抑制するとともに、屋外に排気される燃焼ガスの温度を下げ、各部における冷却作用で温度上昇した送風は、筐体４の前面下部に形成された吹出口（図示せず）から温風として室内に放出される。
【００２３】
前記ストーブ用熱交換器１３内は、仕切板１７によって仕切られ、ストーブ用熱交換器１３内には、燃焼ガスを排気管１４に流通させるバイパス路１８と、熱交換室１５を通過後に排気管１４に流通させる連通路１９とが形成されている。
【００２４】
前記ストーブ用熱交換器１３には、バイパス路１８および連通路１９の開閉制御を行うダンパー２０が設置され、該ダンパー２０でバイパス路１８および連通路１９の一方を開口すると他方が閉口され、逆に一方を閉口すると他方が開口されるように構成されている。
そして、バイパス路１８の開口によってストーブ単独の暖房が可能となり、連通路１９の開口によってストーブおよび温水暖房による併用暖房が可能となる。
【００２５】
前記筐体４内には、燃焼ファン２１が配置され、該燃焼ファン２１は、バーナ６に燃焼空気を供給するものであり、バーナ６の消火時には強回転で継続駆動して該バーナ６の冷却を行うものである。
【００２６】
２２は筐体４内に配置されたオイルレベラで、屋外に設置されているメインタンク（図示せず）から供給される燃油を貯蔵するもので、電磁ポンプ２３と汲み上げポンプ２４が配置され、前記電磁ポンプ２３は、オイルレベラ２２内の燃油を給油パイプ２５を介してバーナ６に供給するものである。
又、前記汲み上げポンプ２４は、一端がオイルレベラ２２に接続され、他端が屋外に設置されているメインタンクから燃油を送油する送油管２６に接続されており、動作することでメインタンクから燃油をオイルレベラ２２内に給油し、停止することでメインタンクからの燃油がオイルレベラ２２内に給油されないように閉止するものである。
【００２７】
２７はオイルレベラ２２内に配置された油面検知手段で、油面の上下動に追従して上下するフロート２８と、該フロート２８の中空部分を貫通する支柱部２９と、前記フロート２８が下降して接触することでＯＮし、その接触した状態からフロート２８が上昇して非接触になることでＯＦＦする第１のフロートスイッチ３０と、該第１のフロートスイッチ３０の上方に設けられ、前記フロート２８が上昇して接触することでＯＮし、その接触した状態からフロート２８が下降して非接触になることでＯＦＦする第２のフロートスイッチ３１とからなるもので、前記第１のフロートスイッチ３０及び第２のフロートスイッチ３１共に、それぞれＯＮ時の油面がＯＦＦ時の油面より低くなるようにディファレンシャルが設けられているものである。
【００２８】
また、本体装置２は、温水用熱交換器７を床暖房装置等の放熱器３２に接続し循環液が循環する温水配管３３と、該温水配管３３に設置されたシスターンタンク３４と、温水配管３３に設置された循環ポンプ３５とを備え、循環液としては、例えば循環水や不凍液が使用されもので、前記シスターンタンク３４および循環ポンプ３５は、筐体４内に配置されているものである。
【００２９】
前記シスターンタンク３４の上部には、温水用熱交換器７の一端が温水配管３３を介して接続され、また、シスターンタンク３４の下部には、循環ポンプ３５が温水配管３３を介して接続されている。
前記温水用熱交換器７の他端と循環ポンプ３５とは、それぞれ温水配管３３を介して放熱器３２と接続されている。
これにより、温水用熱交換器７で加熱された循環液を放熱器３２に循環させて、離れた位置で温水暖房することができるものである。
【００３０】
３６はマイコンを備えた制御部で、暖房機器１の暖房運転を制御するもので、オイルレベラ２２の電磁ポンプ２３や汲み上げポンプ２４の動作を制御したり、暖房運転での燃料消費量を積算したり、タイマー（図示せず）により時間をカウントしたり、オイルレベラ２２を含め機器内部に異常が発生したと判断すれば暖房運転を停止し、操作パネル５の表示部に異常が発生した旨表示して報知するものである。
【００３１】
次にオイルレベラ２２への給油動作について図３のフローチャート図を用いて説明する。
まず燃焼運転により電磁ポンプ２３がオイルレベラ２２内の燃油を給油パイプ２５を介してバーナ６に供給すると、オイルレベラ２２内の燃油の油面が下降し、それに伴ってオイルレベラ２２内に配置された油面検知手段２７のフロート２８も下降する。
【００３２】
そして第１のフロートスイッチ３０のＯＮ点までフロート２８が下降して、第１のフロートスイッチ３０がオンすると（Ｓ１）、制御部３６は燃焼消費量の積算値をリセットし（Ｓ２）、汲み上げポンプ２４をＯＮしてオイルレベラ２２内への給油を開始し（Ｓ３）、燃焼消費量の積算を開始すると共に（Ｓ４）、時間をカウントする長タイマーによるカウントを開始する。（Ｓ５）
【００３３】
そして制御部３６は、第１のフロートスイッチ３０のＯＦＦ点までフロート２８が上昇して、第１のフロートスイッチ３０がオフすると（Ｓ６）、時間をカウントする短タイマーによるカウントを開始し（Ｓ７）、短タイマーによるカウントが所定時間、本実施例では１０秒以上になったら（Ｓ８）、汲み上げポンプ２４をＯＦＦしてオイルレベラ２２内への給油を停止し（Ｓ９）、短タイマーによるカウントを停止して短タイマーのカウントをリセットする。（Ｓ１０）  
【００３４】
本実施例では、第１のフロートスイッチ３０のＯＮ点と第１のフロートスイッチ３０のＯＦＦ点との距離が近い構造なので、第１のフロートスイッチ３０のＯＦＦ点がオンした時点で汲み上げポンプ２４をＯＦＦしてオイルレベラ２２内への給油を停止すると、振動等により燃油の油面が波立つと、第１のフロートスイッチ３０のＯＦＦ点とＯＮ点が油面の上下によってオンオフを繰り返して異常と誤判断してしまうため、燃油の油面が波立っても第１のフロートスイッチ３０のＯＦＦ点とＯＮ点がオンオフを繰り返さない油面の高さにするため、第１のフロートスイッチ３０のＯＦＦ点がオンすると（Ｓ６）、時間をカウントする短タイマーによるカウントを開始し（Ｓ７）、短タイマーによるカウントが所定時間、本実施例では１０秒以上になったら（Ｓ８）、汲み上げポンプ２４をＯＦＦしてオイルレベラ２３内への給油を停止しているものである。（Ｓ９）
【００３５】
そして汲み上げポンプ２４をＯＦＦして汲み上げポンプ２４が完全に閉止されていれば、この状態で燃焼運転が行なわれればオイルレベラ２２内の燃油は減って燃油の油面が下降する。
そしてフロート２８が第１のフロートスイッチ３０のＯＮ点まで下降して、第１のフロートスイッチ３０のＯＮ点がオンすると（Ｓ１１）、制御部３６は、長タイマーによるカウントを停止し（Ｓ１２）、燃焼消費量の積算を停止する。（Ｓ１３）
【００３６】
そして制御部３６は、推定汲み上げ油量と燃焼消費量の積算値を比較し、推定汲み上げ油量よりも燃焼消費量の積算値が多いかを判断する。（Ｓ１４）
ここで推定汲み上げ油量とは、汲み上げ時間と最大汲み上げポンプ流量の積で、汲み上げ時間は長タイマーがカウントした時間、つまり（Ｓ３）の汲み上げポンプ２４をＯＮしてオイルレベラ２２内への給油を開始してから（Ｓ９）の汲み上げポンプ２４をＯＦＦしてオイルレベラ２３内への給油を停止するまでの時間を所定間隔の間とし、最大汲み上げポンプ流量は汲み上げポンプ２４が動作した時、これ以上は流れない最大流量であり、したがって推定汲み上げ油量とは、汲み上げポンプ２４が停止した時、完全に閉塞されて燃油の漏れがない場合の最大汲み上げ油量である。
【００３７】
ちなみに、オイルレベラ２２内への給油は、屋外に設置されているメインタンクから供給されるもので、オイルレベラ２２の油面の高さに対して、メインタンクの油面は最大で約２ｍ高くなり、この高低差いわゆるヘッド差の変化と汲み上げポンプ流量の変化は比例関係にあり、その時のヘッド差によって汲み上げポンプ流量は変化するため、簡易的に推定汲み上げ油量を最大汲み上げ油量としたものである。
【００３８】
そして（Ｓ１４）で推定汲み上げ油量と燃焼消費量の積算値を比較して、推定汲み上げ油量が燃焼消費量の積算値以上の時は、汲み上げポンプ２４に異常はないと判断して（Ｓ１５）、長タイマーのカウントをリセットし（Ｓ１６）、（Ｓ２）に戻るものである。
【００３９】
又、（Ｓ１４）で推定汲み上げ油量と燃焼消費量の積算値を比較して、推定汲み上げ油量が燃焼消費量の積算値未満の時は、汲み上げポンプ２４に異常が発生していると判断して（Ｓ１７）、運転を停止し（Ｓ１８）、操作パネル５の表示部に異常が発生した旨表示して報知し（Ｓ１９）、長タイマーのカウントをリセットするものである。（Ｓ２０）
【００４０】
そしてサービスマンによる点検修理によりオイルレベラ２２内の油面が下降した後に所定のエラーリセット操作が行なわれると、制御部３６は異常報知をオフし、（Ｓ１）のステップから再開するものである。
【００４１】
又、（Ｓ１１）で第１のフロートスイッチ３０がオンしない場合、次に第１のフロートスイッチ３０の上方に設けた第２のフロートスイッチ３１がオンになると（Ｓ２１）、オイルレベラ２２内の油面が異常に上昇していると判断して（Ｓ２２）、運転を停止し（Ｓ２３）、操作パネル５の表示部に異常が発生した旨表示して報知するものである。（Ｓ２４）
【００４２】
そして長タイマーによるカウントを停止してリセットし（Ｓ２５）、燃焼消費量の積算を停止するものである。（Ｓ２６）
【００４３】
このように汲み上げポンプの閉止不良で燃料の漏れ量が多く、燃焼運転中でもオイルレベラ２２内の油面が上昇するような場合は、第２のフロートスイッチ３１がオンすることで判断し、第２のフロートスイッチ３１がオンした時点で運転を停止して異常報知するので、オイルレベラ２２内の燃油が溢れる前に使用者に点検修理を行なうように促すことができるものである。
【００４４】
更に、燃焼運転中はオイルレベラ２２内の油面が上昇することはないが、運転停止中は徐々にオイルレベラ２２内の油面が上昇するような燃料の漏れ量の場合は、第２のフロートスイッチ３１の下方に設けた第１のフロートスイッチ３０のオンとオフとによりオイルレベラ２２内に給油する制御を利用して、推定汲み上げ油量と燃焼消費量の積算値を計算して比較し、推定汲み上げ油量が燃焼消費量の積算値未満の時は、汲み上げポンプ２４に異常が発生していると判断することで、専用のセンサ等を設けることなく、燃料の漏れ量が多くなくてもオイルレベラ２２内への燃料の漏れを早期に判定して、燃料の漏れ量が多くなる前に使用者に点検修理を行なうように促すことができるものである。
【００４５】
以上のように、油面検知手段２７が検知する液面により汲み上げポンプ２４によるオイルレベラ内２２への給油の開始及び停止を行なう燃焼装置に於いて、前記制御部３６は、所定間隔の間の燃焼消費量の積算値と、前記所定間隔の間の推定汲み上げ油量の積算値とを算出し、前記燃焼消費量の積算値が汲み上げポンプ２４による推定汲み上げ油量の積算値より大きい時、異常発生と判断するので、汲み上げポンプ２４の閉止不良による燃油の漏れを検知するための部品を追加することなく、燃油の漏れ量が多くなってオイルレベラ２２から燃油が溢れる状態になる前に、通常の給油動作により汲み上げポンプ２４の閉止不良による燃油の漏れを早期に判定することができるものである。
【００４６】
又、前記制御部３６は、前記油面検知手段２７が給油を開始する液面を検知すると汲み上げポンプ２４を動作してオイルレベラ２２内に給油を開始し、前記油面検知手段２７が給油を停止する液面を検知すると検知してから所定時間後に汲み上げポンプ２４を停止してオイルレベラ２２内への給油を停止すると共に、オイルレベラ２２内への給油を開始してから停止し、再び給油を開始するまでの所定間隔の間の燃焼消費量を積算し、該燃焼消費量の積算値が汲み上げポンプ２４による推定汲み上げ油量より大きい時、異常発生と判断するので、給油を開始する液面と給油を停止する液面が近い構造で、油面が波立つと給油の開始と停止を誤検知してしまう場合、油面が波立っても給油の開始と停止を誤検知しない油面まで給油して前記誤検知を防止しつつ、汲み上げポンプ２４の閉止不良による燃油の漏れを検知するための部品を追加することなく、給油を開始する液面と給油を停止する液面が近い構造のオイルレベラ２２であっても、燃油の漏れ量が多くなってオイルレベラ２２から燃油が溢れる状態になる前に、通常の給油動作により汲み上げポンプ２４の閉止不良による燃油の漏れを早期に判定することができるものである。
【００４７】
又、前記制御部３６は、汲み上げポンプ２４の給油開始から停止までの時間をタイマーにて計時し、該計時時間に最大汲み上げ流量を乗じて推定汲み上げ油量を算出するので、前記油面検知手段２７が給油を停止する液面を検知してから所定時間後に汲み上げポンプ２４を停止するまでの給油量が、屋外に設置されているメインタンクとの油面の高さとオイルレベラ２２の油面の高さとのヘッド差によって汲み上げポンプ流量がその都度異なっても、最大汲み上げ油量を推定汲み上げ油量としているので、燃焼消費量の積算値が汲み上げポンプ２４による推定汲み上げ油量である最大汲み上げ油量より大きい時、異常発生と判断して運転を停止することができ、給油を開始する液面と給油を停止する液面が近い構造のオイルレベラ２２であって、屋外に設置されているメインタンクとオイルレベラ２２のヘッド差がその時々で異なって汲み上げポンプ２４の汲み上げ流量が変化しても、汲み上げポンプ２４の閉止不良による燃油の漏れを検知するための部品を追加することなく、燃油の漏れ量が多くなってオイルレベラ２２から燃油が溢れる状態になる前に、通常の給油動作により汲み上げポンプ２４の閉止不良による燃油の漏れを早期に判定することができるものである。  
【００４８】
次に他の実施例で、第１のフロートスイッチ３０のＯＮ点と第１のフロートスイッチ３０のＯＦＦ点との距離が離れていて、振動等により燃油の油面が波立っても、第１のフロートスイッチ３０のＯＦＦ点とＯＮ点が油面の上下によってオンオフしない構造のオイルレベラ２２の給油動作について図４のフローチャート図を用いて説明する。
【００４９】
まず燃焼運転により電磁ポンプ２３がオイルレベラ２２内の燃油を給油パイプ２５を介してバーナ６に供給すると、オイルレベラ２２内の燃油の油面が下降し、それに伴ってオイルレベラ２２内に配置された油面検知手段２７のフロート２８も下降する。
【００５０】
そして第１のフロートスイッチ３０のＯＮ点までフロート２８が下降して、第１のフロートスイッチ３０がオンすると（Ｓ２７）、制御部３６は燃焼消費量の積算値をリセットし（Ｓ２８）、汲み上げポンプ２４をＯＮしてオイルレベラ２２内への給油を開始する。（Ｓ２９）
【００５１】
そして制御部３６は、第１のフロートスイッチ３０のＯＦＦ点までフロート２８が上昇して、第１のフロートスイッチ３０がオフすると（Ｓ３０）、汲み上げポンプ２４をＯＦＦしてオイルレベラ２２内への給油を停止する。（Ｓ３１）
そして制御部３６は、燃焼消費量の積算を開始すると共に（Ｓ３２）、時間をカウントする長タイマーによるカウントを開始する。（Ｓ３３）
【００５２】
（Ｓ３１）で汲み上げポンプ２４をＯＦＦして汲み上げポンプ２４が完全に閉止されていれば、この状態で燃焼運転が行なわれればオイルレベラ２２内の燃油は減って燃油の油面が下降する。
そしてフロート２８が第１のフロートスイッチ３０のＯＮ点まで下降して、第１のフロートスイッチ３０がオンすると（Ｓ３４）、制御部３６は、長タイマーによるカウントを停止し（Ｓ３５）、燃焼消費量の積算を停止する。（Ｓ３６）
【００５３】
そして制御部３６は、推定汲み上げ油量と燃焼消費量の積算値を比較し、推定汲み上げ油量よりも燃焼消費量の積算値が多いかを判断する。（Ｓ３７）
ここで推定汲み上げ油量とは、第１のフロートスイッチ３０のＯＮ点から第１のフロートスイッチ３０のＯＦＦ点までのオイルレベラ２２内の内容積で、オイルレベラ２２内の寸法と第１のフロートスイッチ３０のＯＮ点から第１のフロートスイッチ３０のＯＦＦ点までの距離により予め計算して算出しており、実際は第１のフロートスイッチ３０の取付け誤差や個々のスイッチのバラツキなど考慮してこの計算値より大きい油量を推定汲み上げ油量に設定しているものである。
【００５４】
そして（Ｓ３７）で推定汲み上げ油量と燃焼消費量の積算値を比較して、推定汲み上げ油量が燃焼消費量の積算値以上の時は、汲み上げポンプ２４に異常はないと判断して（Ｓ３８）、長タイマーのカウントをリセットし（Ｓ３９）、（Ｓ２７）に戻るものである。
【００５５】
又、（Ｓ３７）で推定汲み上げ油量と燃焼消費量の積算値を比較して、推定汲み上げ油量が燃焼消費量の積算値未満の時は、汲み上げポンプ２４に異常が発生していると判断して（Ｓ４０）、運転を停止し（Ｓ４１）、操作パネル５の表示部に異常が発生した旨表示して報知し（Ｓ４２）、長タイマーのカウントをリセットするものである。（Ｓ４３）
【００５６】
そしてサービスマンによる点検修理によりオイルレベラ２２内の油面が下降して第２のフロートスイッチ３１がオフすると、オイルレベラ２２内の油面の異常上昇が解消されたと判断して、操作パネル５の表示部に表示している異常報知をオフするものである。
【００５７】
又、（Ｓ３４）で第１のフロートスイッチ３０がオンしない場合、次に第１のフロートスイッチ３０の上方に設けた第２のフロートスイッチ３１がオンになると（Ｓ４４）、オイルレベラ２２内の油面が異常に上昇していると判断して（Ｓ４５）、運転を停止し（Ｓ４６）、操作パネル５の表示部に異常が発生した旨表示して報知するものである。（Ｓ４７）
【００５８】
そして長タイマーによるカウントを停止してリセットし（Ｓ４８）、燃焼消費量の積算を停止するものである。（Ｓ４９）
【００５９】
このように汲み上げポンプの閉止不良で燃料の漏れ量が多く、燃焼運転中でもオイルレベラ２２内の油面が上昇するような場合は、第２のフロートスイッチ３１がオンすることで判断し、第２のフロートスイッチ３１がオンした時点で運転を停止して異常報知するので、オイルレベラ２３内の燃油が溢れる前に使用者に点検修理を行なうように促すことができるものである。
【００６０】
更に、燃焼運転中はオイルレベラ２２内の油面が上昇することはないが、運転停止中は徐々にオイルレベラ２２内の油面が上昇するような燃料の漏れ量の場合は、第２のフロートスイッチ３１の下方に設けた第１のフロートスイッチ３０のオンとオフとによりオイルレベラ２２内に給油する制御を利用して、推定汲み上げ油量と燃焼消費量の積算値を計算して比較し、推定汲み上げ油量が燃焼消費量の積算値未満の時は、汲み上げポンプ２４に異常が発生していると判断することで、専用のセンサ等を設けることなく、燃料の漏れ量が多くなくてもオイルレベラ２２内への燃料の漏れを判定して、燃料の漏れ量が多くなる前に使用者に点検修理を行なうように促すことができるものである。
【００６１】
更に第１のフロートスイッチ３０のＯＮ点と第１のフロートスイッチ３０のＯＦＦ点との距離が離れていて、振動等により燃油の油面が波立っても、第１のフロートスイッチ３０のＯＦＦ点とＯＮ点が油面の上下によってオンオフしない構造のオイルレベラ２２のため、第１のフロートスイッチ３０がオンして汲み上げポンプ２４による給油動作を開始し、その後第１のフロートスイッチ３０がオフした時点で汲み上げポンプ２４を停止して給油動作を終了するので、第１のフロートスイッチ３０のＯＮ点と第１のフロートスイッチ３０のＯＦＦ点との距離が近くて第１のフロートスイッチ３０がオフしてから所定時間後に汲み上げポンプ２４を停止する場合に比べてオイルレベラ２２への給油量が正確になり、より少量の燃料の漏れを検知できるものである。
【００６２】
以上のように前記制御部は、前記油面検知手段が給油を開始する液面を検知すると汲み上げポンプを動作してオイルレベラ内に給油を開始し、前記油面検知手段が給油を停止する液面を検知すると汲み上げポンプを停止してオイルレベラ内への給油を停止すると共に、オイルレベラ内への給油を停止してから再び給油を開始するまでの燃焼消費量を積算し、該燃焼消費量の積算値が汲み上げポンプによる推定汲み上げ油量より大きい時、異常発生と判断するので、給油を開始する液面と給油を停止する液面が離れている構造で、油面が波立っても給油の開始と停止を誤検知しない場合、油面検知手段が給油を停止する液面を検知すると汲み上げポンプを停止してオイルレベラ内への給油を停止することで推定汲み上げ油量を常に一定にすることができ、汲み上げポンプの閉止不良による燃油の漏れを検知するための部品を追加することなく、通常の給油動作により汲み上げポンプの閉止不良による燃油の漏れが少量でも正確に早期に判定することができるものである。
【００６３】
前記制御部は、前記油面検知手段が給油を開始する液面から給油を停止する液面までのオイルレベラ内の内容積を推定汲み上げ油量とするので、推定汲み上げ油量は予め計算にて求めることができ、屋外に設置されているメインタンクとオイルレベラのヘッド差がその時々で異なって汲み上げポンプの汲み上げ流量が変化しても、その汲み上げポンプの汲み上げ流量の変化に関係なく、通常の給油動作により汲み上げポンプの閉止不良による燃油の漏れが少量でも正確に早期に判定することができるものである。
【符号の説明】
【００６４】
６  バーナ
２２  オイルレベラ
２３  電磁ポンプ
２４  汲み上げポンプ
２５  給油パイプ
２７  油面検知手段
３６  制御部
【図１】
2019138586.tif 000003
【図２】
2019138586.tif 000004
【図３】
2019138586.tif 000005
【図４】
2019138586.tif 000006